(57)【特許請求の範囲】
【請求項１】
内容物を収容する有底筒状の内容器と、前記内容器を収納した有底筒状の外容器とを備えた二重容器の内容器交換用のレフィール容器であって、
前記内容器と、前記内容器の口部に装着された有頂筒状の保護キャップとを有し、
前記内容器及び前記外容器に、互いに係合することにより前記内容器と前記外容器の相対回転を規制する係合部を有しており、
前記保護キャップは、前記内容器の口部に装着された装着筒部と、前記装着筒部及び前記内容器の外周面を覆う周壁部とを有しており、
前記保護キャップの前記周壁部の内周面と前記内容器の外周面とが、前記内容器の交換時に前記外容器の周壁部を挿入可能な間隔に離間されていることを特徴とするレフィール容器。
【請求項２】
前記内容器の底壁部に、底面から下方へ突出する筒状部が形成され、前記筒状部の内周面又は外周面に、周方向に延びる環状凸部が形成されている、請求項１に記載のレフィール容器。
【請求項３】
内容物を収容する有底筒状の内容器と、前記内容器を収納した有底筒状の外容器と、前記内容器の口部に装着された外装キャップとを備えた二重容器であって、
前記内容器が、請求項１又は２に記載のレフィール容器を用いて交換される内容器であることを特徴とする二重容器。
【請求項４】
内容物を収容する有底筒状の内容器と、前記内容器を収納した有底筒状の外容器と、前記内容器の口部に装着された外装キャップとを備えた二重容器であって、
前記内容器が、請求項２に記載のレフィール容器を用いて交換される内容器であり、
前記外容器の底壁部に、前記底壁部を貫通する貫通孔と、前記貫通孔の開口端に揺動自在に支持された操作片とが形成され、
前記外容器の内側に位置する前記操作片の端部に、前記内容器の前記筒状部に形成された前記環状凸部に係合される係合凸部が形成されていることを特徴とする二重容器。
【発明の詳細な説明】
【技術分野】
【０００１】
本発明は、レフィール容器及び二重容器に関するものである。
【背景技術】
【０００２】
クリーム等の内容物を収容する内容器を外容器に内装した構成の二重容器が知られている。上記の内容器は外容器に対して着脱可能なレフィール容器であり、内容物を消費した内容器を取り外して新たな内容器に交換することで、外容器を再利用することができる。
【先行技術文献】
【特許文献】
【０００３】
【特許文献１】特開２０１０−１９５４８４号公報
【発明の概要】
【発明が解決しようとする課題】
【０００４】
しかし、特許文献１記載の二重容器では、内容器をレフィール容器として流通させる際の内容器の保護についての配慮が不十分であった。また、交換時に内容器の口部が開口しているため、内容物が手指に付着等しやすく、内容器の交換操作がしにくくなる場合があった。
【０００５】
本発明は、上記従来技術の問題点に鑑み成されたものであって、内容器の保護性及び操作性に優れたレフィール容器と、このレフィール容器を適用可能な二重容器を提供することを目的の一つとする。
【課題を解決するための手段】
【０００６】
本発明のレフィール容器は、内容物を収容する有底筒状の内容器と、前記内容器を収納した有底筒状の外容器とを備えた二重容器の内容器交換用のレフィール容器であって、前記内容器と、前記内容器の口部に装着された有頂筒状の保護キャップとを有し、前記内容器及び前記外容器に、互いに係合することにより前記内容器と前記外容器の相対回転を規制する係合部を有しており、前記保護キャップは、前記内容器の口部に装着された装着筒部と、前記装着筒部及び前記内容器の外周面を覆う周壁部とを有しており、前記保護キャップの前記周壁部の内周面と前記内容器の外周面とが、前記内容器の交換時に前記外容器の周壁部を挿入可能な間隔に離間されていることを特徴とする。
【０００７】
この構成によれば、内容器の外周面を覆う保護キャップを備えていることで、レフィール容器の流通時に内容器の外周面が押圧されて変形したり、衝撃を受けて破損したりするのを防止することができる。
また保護キャップの周壁部と内容器の外周面との間に、外容器の周壁部を挿入可能な間隙が形成されているため、保護キャップを取り付けたままで内容器の交換作業を行うことができる。これにより、交換作業時に内容器の内容物が手指に付着したり、こぼれたりするのを防止でき、交換作業において優れた操作性を得ることができる。また、内容器に触れることなく交換作業を行えるため、交換作業時に内容器を過度の力で把持して変形させてしまうことも回避できる。
【０００８】
前記内容器の底壁部に、底面から下方へ突出する筒状部が形成され、前記筒状部の内周面又は外周面に、周方向に延びる環状凸部が形成されている構成としてもよい。
内容器の底壁部に設けられた環状凸部を有していることで、この内容器を外容器に挿入する操作のみで、外容器に対して固定できる構成とすることができる。これにより、交換作業における優れた操作性を得ることができる。
【０００９】
本発明の二重容器は、内容物を収容する有底筒状の内容器と、前記内容器を収納した有底筒状の外容器と、前記内容器の口部に装着された外装キャップとを備えた二重容器であって、前記内容器が、上記のレフィール容器を用いて交換される内容器であることを特徴とする。
この構成によれば、保護キャップを装着したままで内容器の交換作業を行うことができるレフィール容器により、内容器の交換作業における優れた操作性を得ることができる。
【００１０】
本発明の二重容器は、内容物を収容する有底筒状の内容器と、前記内容器を収納した有底筒状の外容器と、前記内容器の口部に装着された外装キャップとを備えた二重容器であって、前記内容器が、上記のレフィール容器を用いて交換される内容器であり、前記外容器の底壁部に、前記底壁部を貫通する貫通孔と、前記貫通孔の開口端に揺動自在に支持された操作片とが形成され、前記外容器の内側に位置する前記操作片の端部に、前記内容器の前記筒状部に形成された前記環状凸部に係合される係合凸部が形成されていることを特徴とする。
この構成によれば、内容器の底壁部に設けられた環状凸部と、外容器の底壁部に設けられた操作片の係合凸部とをアンダーカット嵌合させることができるため、内容器を外容器に挿入する操作のみで内容器を外容器に固定することができ、交換作業における操作性に優れた二重容器となる。
【発明の効果】
【００１１】
本発明のレフィール容器によれば、保護キャップにより流通時や交換時における内容器の破損を防止できるとともに、保護キャップを取り付けたままで外容器への装着作業を行うことができるため優れた操作性を得ることができる。
本発明の二重容器によれば、内容器の交換作業を円滑に行うことができる。
【図面の簡単な説明】
【００１２】
【図１】実施形態に係る二重容器の半断面図。
【図２】実施形態に係るレフィール容器の半断面図。
【図３】内容器の交換手順を示す説明図。
【図４】レフィール容器の使用方法を示す説明図。
【発明を実施するための形態】
【００１３】
以下、図面を用いて本発明の実施の形態について説明する。
図１は、実施形態に係る二重容器の半断面図である。図２は、実施形態に係るレフィール容器の半断面図である。図３は、内容器の交換手順を示す説明図である。図４は、レフィール容器の使用方法を示す説明図である。
【００１４】
なお、図１及び図２に示す鎖線（Ｏ）は、二重容器１及びレフィール容器１０の中心軸線を示しており、以下、単に「軸線Ｏ」と記す。また、本実施形態では、軸線Ｏに沿った方向を「軸方向」とし、軸線Ｏに直交する方向を「径方向」とする。また、本実施形態では、後述する内容器２においてその口部２０側（図１における上側）を「上側」とし、その反対側（図１における下側）を「下側」とする。
【００１５】
二重容器１は、図１に示すように、クリーム等の内容物を収容する内容器２と、内容器２を収納可能な外容器３と、内容器２に装着された外装キャップ５と、を備えている。
【００１６】
外容器３は、上端が解放された有底筒状の外装容器である。外容器３は、底壁部３１と底壁部３１の外縁から軸方向上側へ立ち上がる円筒形状の周壁部３２とを有している。
周壁部３２の上端部には口部３０が形成されている。周壁部３２の内周面には、周壁部３２の上端（口部３０の上端）から軸方向に沿って延びる溝部３２ａ（係合部）が形成されている。
【００１７】
底壁部３１には、その中央部に凹部３１Ａが形成されている。底壁部３１のうち凹部３１Ａによって上側に配置された部分である上部底壁部３１ａに、外容器３に収容された内容器２を固定する機構が設けられている。上部底壁部３１ａの外周寄りの位置に、上部底壁部３１ａを厚さ方向（軸方向）に貫通する貫通孔３３が形成されている。
【００１８】
貫通孔３３には棒状ないし板状の操作片３５が挿通されている。操作片３５は、長さ方向の中央部からやや上寄りの位置の径方向外側の面において上部底壁部３１ａ（底壁部３１）に連結され、上部底壁部３１ａの上下に突出している。操作片３５と上部底壁部３１ａとの連結部３６は、非操作時に操作片３５を略直立姿勢に保持するとともに、操作時には連結部３６を支点とする揺動を許容する付勢手段である。操作片３５の上端部の径方向内側の面には、係合凸部３７が形成されている。
【００１９】
内容器２は、上端が解放された有底筒状の内装容器であり、底壁部２１と、底壁部２１の外縁から軸方向上側へ立ち上がる円筒形状の周壁部２２とを備えている。
【００２０】
周壁部２２の上端には、口部２０が形成されている。口部２０の外周面には雄ねじ部２３が形成されている。雄ねじ部２３の下方には周壁部２２の径方向外側に突出する環状のフランジ部２４が形成されている。フランジ部２４の下方の周壁部２２の外周面には、フランジ部２４の下面から軸方向の下方へ延びる複数の凸条部２５（係合部；図３参照）が形成されている。また、周壁部２２の下端部には凸条部２５が設けられていない領域が存在している。
【００２１】
底壁部２１は、その中央部に形成された平面視略円形の凹部２１Ａを有する。凹部２１Ａ内には、底壁部２１の下方へ突出する円筒形状の筒状部２７が形成されている。筒状部２７の下端外周部には、周方向に延びる環状凸部２７ａが形成されている。筒状部２７の外周面と凹部２１Ａの側壁面との間には、所定の幅の間隙が形成されている。
【００２２】
内容器２が外容器３に挿入された状態では、内容器２の外周面に形成されたフランジ部２４が外容器３の周壁部３２の上端面に当接されて内容器２の軸方向下方への移動が規制されている。また、内容器２の周壁部２２の外周面に形成されている凸条部２５が、外容器３の周壁部３２の内周面に形成されている溝部３２ａに嵌合され、内容器２と外容器３の相対回転が規制されている。また、内容器２の底壁部２１に設けられた筒状部２７の環状凸部２７ａに対して、外容器３の底壁部３１に設けられた操作片３５の係合凸部３７が嵌合されている。
【００２３】
なお、図３に示すように、内容器２の凸条部２５は周壁部２２の外周面に複数形成されており、複数の凸条部２５は周壁部２２の周方向に沿って等間隔に配列されている。したがって、凸条部２５が嵌合される外容器３の溝部３２ａも、複数の凸条部２５のそれぞれが嵌合されるように周壁部３２の内周面に複数形成されている。
【００２４】
外装キャップ５は、内容器２の口部２０に螺着される有頂筒状の蓋体である。外装キャップ５は円盤状の天壁部５０と、天壁部５０の外縁から垂下された円筒形状の周壁部５１と、を備えている。周壁部５１の外周面には、径方向外側へ突出して形成されるとともに周壁部５１の周方向に沿って延びる環状凸部５１ａが形成されている。
【００２５】
周壁部５１の内周面には、内容器２の口部２０の雄ねじ部２３に螺合される雌ねじ部５２が形成されている。外装キャップ５の内側には、円盤状のパッキン６が嵌合されている。パッキン６は、外装キャップ５の天壁部５０の下面に接合されている。パッキン６の外周部が天壁部５０の下面と内容器２の口部２０の上端面との間に挟み込まれることで、内容器２の口部２０がシールされ、内容器２内が密封される。
【００２６】
なお、本実施形態では、筒状部２７の外周面に環状凸部２７ａを形成し、操作片３５の径方向内側の面に係合凸部３７を形成しているが、内容器２と外容器３の軸線Ｏに沿う方向の相対移動を規制する機構は、この構成に限定されない。
【００２７】
例えば、筒状部２７の内周面に、周方向に延びる環状凸部を形成してもよい。この場合には、操作片３５の径方向外側の面に、上記環状凸部に係合する係合凸部を形成すればよい。
【００２８】
あるいは、筒状部２７の内周面と外周面の両方に、周方向に延びる環状凸部を形成してもよい。この場合には、径方向内側の面に係合凸部３７が形成された操作片３５を用いてもよく、径方向外側の面に係合凸部が形成された操作片３５を用いてもよい。さらには、筒状部２７を挟み込むように一対の操作片３５を設け、筒状部２７の内外の環状凸部に対してそれぞれ操作片３５の係合凸部が係合されるようにしてもよい。
【００２９】
また、内容器２と外容器３の周方向の移動を規制する機構についても、内容器２の凸条部２５を外容器３の溝部３２ａに係合させる構成に限定されない。例えば、外容器３の開口上端縁を上下方向で凹凸に形成するとともに、内容器２のフランジ部２４を径方向で凹凸に形成し、両者の凹凸を嵌合させる機構であってもよい。
【００３０】
以上に説明した二重容器１では、内容器２が外容器３に対して出し入れ可能に構成されており、消費者によって適宜交換可能である。そして、本実施形態の二重容器１では、交換用の内容器２は、図２に示すレフィール容器１０の形態で提供される。
【００３１】
レフィール容器１０は、図２に示すように、有底筒状の内容器２と、内容器２の口部２０に装着された保護キャップ１１とを備えている。内容器２は図１に示した内容器と同一の構成である。
【００３２】
保護キャップ１１は、円盤状の頂壁部１２と、頂壁部１２の外縁から軸線Ｏに沿って垂下された略円筒形状の周壁部１３と、頂壁部１２の下面から軸方向に垂下された円筒形状の装着筒部１４と、装着筒部１４の内側に嵌合されるとともに頂壁部１２下面に接合された円盤状のパッキン１６と、を備えている。装着筒部１４の内周面には雌ねじ部１５が形成されている。
【００３３】
保護キャップ１１は、装着筒部１４の雌ねじ部１５を内容器２の雄ねじ部２３に螺合させることにより内容器２の口部２０に装着される。内容器２に保護キャップ１１が装着された状態において、パッキン１６が、保護キャップ１１の頂壁部１２と、口部２０の上端との間に挟み込まれてシールされることにより、内容器２が密封されている。
【００３４】
また、保護キャップ１１の周壁部１３の高さ（軸線Ｏに沿う方向における長さ）は、内容器２の高さよりも大きく、保護キャップ１１を内容器２に装着すると、内容器２の全体が保護キャップ１１の内側に収容される。すなわち、図２に示す状態において、保護キャップ１１の周壁部１３が内容器２の周壁部２２の外周を径方向外側から覆っており、底壁部２１及び筒状部２７の下端は、周壁部１３の下端１３ａよりも上側（周壁部１３の内側）に配置される。
このため、流通段階のレフィール容器１０において、内容器２から保護キャップが取り外されることが防止され、誤使用などが防止される。
【００３５】
保護キャップ１１の周壁部１３の内周面と、内容器２の周壁部２２の外周面とは、所定の間隔（外容器３の周壁部３２を挿入可能な間隔）で径方向に離間されている。つまり、レフィール容器１０は、周壁部１３と周壁部２２との間に、外容器３の周壁部３２を挿入可能な略円筒状の間隙２Ａを有している。
【００３６】
次に、レフィール容器１０を用いた内容器の交換手順について、図３及び図４を参照しつつ説明する。
例えば内容器２内の内容物が無くなった場合など、外容器３内の内容器２を新たな内容器２と交換する際には、まず、内容器２を外容器３から取り外す。このとき、図３に示すように、外装キャップ５は内容器２に装着したままでよい。
【００３７】
内容器２を外容器３から取り外すには、まず、外容器３の上部底壁部３１ａから凹部３１Ａ内に突出している操作片３５の下端部を、径方向内側へ押圧して傾倒させる。これにより、操作片３５の上端部の係合凸部３７と内容器２の環状凸部２７ａとの係合が解除される。
その後、操作片３５を傾倒させたまま、内容器２を外容器３の上方へ引き抜く。本実施形態の場合、外装キャップ５の周壁部５１の外周面に環状凸部５１ａが形成されているため、環状凸部５１ａに手指を引っ掛けることができ、内容器２を外容器３から容易に引き抜くことができる。
内容器２を外容器３から引き抜いた後、外装キャップ５を内容器２から取り外しておく。このとき、パッキン６は外装キャップ５とともに取り外される。
【００３８】
次に、レフィール容器１０を用いて、新たな内容器２を外容器３に装着する。
具体的には、図４に示すように、保護キャップ１１の側の間隙２Ａに外容器３の口部３０を挿入しつつ、レフィール容器１０を外容器３に被着する。このとき、レフィール容器１０と外容器３を周方向に相対的に回転させることで、内容器２の凸条部２５を外容器３の溝部３２ａに対して位置合わせし、凸条部２５が溝部３２ａに挿入されるようにする。
上記の操作により、保護キャップ１１の内側に収容されている内容器２が外容器３に挿入される。
【００３９】
内容器２を外容器３に挿入していくと、内容器２の下面に設けられた筒状部２７の環状凸部２７ａが、外容器３の底面から容器内へ突出している操作片３５の上端部に設けられた係合凸部３７にアンダーカット嵌合される。そして、内容器２のフランジ部２４の下面が外容器３の口部３０の上端面に突き当てられることで、内容器２の挿入が制止される。これにより、外容器３への内容器２の装着が完了する。
【００４０】
内容器２を外容器３に装着したならば、保護キャップ１１と内容器２との螺合を解除して保護キャップ１１を取り外す。このとき、内容器２を密封しているパッキン１６も保護キャップ１１とともに取り外される。
その後、古い内容器２から取り外しておいた外装キャップ５を、保護キャップ１１を取り外された新しい内容器２の口部２０に螺着することで、内容器２の交換作業が完了する。
【００４１】
以上、詳細に説明したように、本実施形態のレフィール容器１０によれば、内容器２の周壁部２２の外周面を覆う保護キャップ１１を備えていることで、レフィール容器１０の流通時に内容器２の周壁部２２が押圧されて変形したり、衝撃を受けて破損したりするのを防止することができる。
【００４２】
また保護キャップ１１の周壁部１３と内容器２の周壁部２２との間に間隙２Ａが形成されているため、図４に示したように、保護キャップ１１を取り付けたままで内容器２の交換作業を行うことができる。これにより、交換作業時に内容器２の内容物が手指に付着したり、こぼれたりするのを防止でき、交換作業において優れた操作性を得ることができる。また、内容器２に触れることなく交換作業を行えるため、交換作業時に内容器２を過度の力で把持して変形させてしまうこともない。
【００４３】
また、内容器２の底壁部２１に設けられた環状凸部２７ａと、外容器３の底壁部３１に設けられた操作片３５の係合凸部３７とをアンダーカット嵌合させる構成であるため、内容器２を外容器３に挿入する操作のみで内容器２を外容器３に固定することができる。
【符号の説明】
【００４４】
１…二重容器、２…内容器、３…外容器、５…外装キャップ、１０…レフィール容器、１１…保護キャップ、１３，２２，３２，５１…周壁部、２０，３０…口部、２１，３１…底壁部、２５…凸条部（係合部）、２７…筒状部、２７ａ，５１ａ…環状凸部、３２ａ…溝部（係合部）、３３…貫通孔、３５…操作片、３７…係合凸部
【図１】
0005746947.tif 000002
【図２】
0005746947.tif 000003
【図３】
0005746947.tif 000004
【図４】
0005746947.tif 000005